(57)【要約】【課題】  基礎に沿って並設される基礎見切り間に段差が生じたり、基礎見切りが波打ったりすることを防止でき、基礎見切りを平面視で綺麗な一直線状に施工できて外観を向上でき、尚且つ防水性を確保できる基礎見切りの取付け構造を提供する。【解決手段】  基礎２に土台金物１２を介して外壁１を立設する。基礎２の上端部に見切り下地材１５を固着する。見切り下地材１５で基礎２と外壁１の間を屋外側から覆う基礎見切り１６を基礎見切り１６の上端部と外壁１の下端部との間に隙間Ｓ１が形成されるように外壁１に接触させることなく支持する。基礎見切り１６の上端部と外壁１の下端部との間に形成された隙間Ｓ１にコーキング材３１ｂを充填する。【選択図】        図１
2007032115.tif 000002
【特許請求の範囲】
【請求項１】
基礎に土台金物を介して外壁を立設し、基礎の上端部に見切り下地材を固着し、見切り下地材で基礎の上端と外壁の下端との間を屋外側から覆う基礎見切りを基礎見切りの上端部と外壁の下端部との間に隙間が形成されるように外壁に接触させることなく支持し、該基礎見切りの上端部と外壁の下端部との間に形成された隙間にコーキング材を充填して成ることを特徴とする基礎見切りの取付け構造。
【請求項２】
外壁の屋外側の面の下端部に段部を形成し、段部に基礎見切りの上端部を配置して基礎見切りの上端部と段部の縦面との間及び基礎見切りの上端部と段部の横面との間に上記隙間を形成し、該隙間のうち基礎見切りの上端部と段部の横面との間に形成された隙間にコーキング材を充填して成ることを特徴とする請求項１に記載の基礎見切りの取付け構造。
【発明の詳細な説明】
【技術分野】
【０００１】
本発明は基礎見切りの取付け構造に関する。
【背景技術】
【０００２】
壁パネル等からなる外壁を土台を介して基礎に立設した建物にあっては、従来から基礎の上端と外壁の下端との間を屋外側から覆う基礎見切りの上端部をビス等の固着具により外壁の下端部に固着してあり、これにより屋内側に水が侵入することを防止したり、建物の外観を向上させたりしている（例えば特許文献１）。
【０００３】
図２はこの種の基礎見切りの取付け構造を示すもので、このものは壁パネルからなる外壁１の屋外側の面の下端部に屋内側に凹む段部９を形成し、段部９に基礎見切り１６の上端部を配置し、該基礎見切り１６の上端部をビス等の固着具４０で外壁１の段部９の縦面９ｂに固着すると共に基礎見切り１６の下面に取付けたシール材４１を基礎２の上面に載置し、基礎見切り１６の上端部と段部９の横面９ａとの間に防水用のコーキング材４２を充填している。
【０００４】
ところでプレハブ住宅においては一般的に上棟工事を施工する業者（以下上棟業者という）が建物の梁、柱、垂木等で架溝体を形成し、続いてこの上棟業者が床パネル、壁パネル、屋根パネルの夫々を建て込み、この後、上棟業者とは別の業者が建物内装や上記基礎見切りを含めた外廻りの施工を行うものである。つまり図２に示す基礎見切り１６を外壁１に取付ける際には上棟業者による外壁１の施工が既に完了している。従って施工誤差や寸法誤差等により隣接する外壁１が屋内外方向イに相対的にずれて立設された場合にあっても、屋内外方向イの位置がずれた隣接する外壁１に基礎見切り１６を取付けなければならず、この場合には基礎２に沿って並設される基礎見切り１６が屋内外方向イにずれて段差が生じたり、また基礎見切り１６が曲って波打ったりした状態で施工され、基礎見切り１６が平面視で綺麗な一直線状とならないことがあった。
【特許文献１】特開平１１−２４１４１６号公報
【発明の開示】
【発明が解決しようとする課題】
【０００５】
本発明は上記従来の問題点に鑑みて発明したものであって、基礎に沿って並設される基礎見切り間に段差が生じたり、基礎見切りが波打ったりすることを防止でき、基礎見切りを平面視で綺麗な一直線状に施工できて外観を向上でき、尚且つ防水性を確保できる基礎見切りの取付け構造を提供することを課題とする。
【課題を解決するための手段】
【０００６】
上記課題を解決するために本発明に係る基礎見切りの取付け構造は、基礎２に土台金物１２を介して外壁１を立設し、基礎２の上端部に見切り下地材１５を固着し、見切り下地材１５で基礎２と外壁１の間を屋外側から覆う基礎見切り１６を基礎見切り１６の上端部と外壁１の下端部との間に隙間Ｓ１が形成されるように外壁１に接触させることなく支持し、該基礎見切り１６の上端部と外壁１の下端部との間に形成された隙間Ｓ１にコーキング材３１ｂを充填して成ることを特徴とするものである。上記構成により基礎見切り１６を見切り下地材１５でのみ支持して基礎見切り１６を基礎２を基準として取付けることができ、これにより外壁１の立設位置に影響されることなく基礎見切り１６を正確な位置に位置決めして取付けることができる。またこれにより隣接する外壁１が屋内外方向イにずれていたとしても、基礎２に沿って並設される基礎見切り１６が屋内外方向イにずれて段差が生じたり、基礎見切り１６が波打ったりすることがなく、基礎見切り１６を平面視で綺麗な一直線状に施工できる。また上記コーキング材３１ｂにより基礎見切り１６の上端部と外壁１の下端部との間に形成された隙間Ｓ１から屋内側に水が侵入することを防止できる。
【０００７】
また請求項２は請求項１において、外壁１の屋外側の面の下端部に段部９を形成し、段部９に基礎見切り１６の上端部を配置して基礎見切り１６の上端部と段部９の縦面９ｂとの間及び基礎見切り１６の上端部と段部９の横面９ａとの間に上記隙間Ｓ１を形成し、該隙間Ｓ１のうち基礎見切り１６の上端部と段部９の横面９ａとの間に形成された隙間Ｓ３にコーキング材３１ｂを充填して成ることを特徴とする。この構成により基礎見切り１６の上端部と段部９の縦面９ｂとの間に形成された隙間Ｓ２により屋内外方向イにおける外壁１の立設位置の誤差を吸収でき、また従来から利用されている屋外側の面の下端部に段部９を形成した外壁１を用いることができて部材コストを削減できる。
【発明の効果】
【０００８】
本発明にあっては、基礎見切りを見切り下地材でのみ支持して基礎見切りを基礎を基準として取付けることができるため、外壁の立設位置に影響されることなく基礎見切りを正確な位置に位置決めして取付けることができ、これにより隣接する外壁が屋内外方向にずれることに伴って、基礎に沿って並設される基礎見切りが屋内外方向にずれて段差が生じたり、基礎見切りが波打ったりすることを防止でき、基礎見切りを平面視で綺麗な一直線状に施工できて外観を向上できる。またコーキング材により防水性を確保できる。
【発明を実施するための最良の形態】
【０００９】
以下、本発明を添付図面に示す実施形態に基いて説明する。図１に示すように建物の外壁１が立設される箇所には布基礎等からなる基礎２を形成している。
【００１０】
基礎２の上面に立設される外壁１は正面視矩形枠状の枠材３の屋内側の面及び屋外側の面に内装材４及び外装材５の夫々を貼着した壁パネルからなり、この外壁１の内部には断熱材６を設けている。枠材３の下端部に設けた下横枠体３ａは木製でその下面には嵌込溝８を形成している。また下横枠体３ａの下部は外装材５の下端よりも下方に突出し、これにより外壁１の屋外側の面の下端部に屋内側に凹む段部９を形成している。図示例では下横枠体３ａの下部の屋外側部分を逆Ｌ字状に切欠いて切欠部１０を形成し、切欠部１０の横面及び同面と面一となった外装材５の下端面で段部９の横面９ａを形成し、切欠部１０の縦面で段部９の縦面９ｂを形成している。
【００１１】
上記外壁１は上棟業者により断面Ｌ字状に形成された土台金物１２を介して外装材５の屋外側の面を基礎２よりも屋内側に位置させた状態で基礎２上に立設される。このＬ字状の土台金物１２は横片状部１２ｂを基礎２に載置すると共に該横片状部１２ｂに基礎２に植設したアンカーボルト１３を挿通し、該アンカーボルト１３の横片状部１２ｂよりも上方に突出した雄ねじ部１３ａにナット１４を螺合することで基礎２に固定されるものである。そしてこの土台金物１２の縦片状部１２ａの上端部を外壁１の嵌込溝８に嵌め込んだ状態で外壁１の枠材３の下横枠体３ａは土台金物１２に載置固定されている。なお図示は省略するが外壁１の上端部は建物の梁に固定されている。
【００１２】
上記のようにして上棟業者により外壁１が基礎２に沿って土台金物１２を介して複数枚並べて立設される。そしてこのように立設された外壁１の下端と基礎２の上端との間は基礎２の伸びる方向に長尺な基礎見切り１６によって屋外側から覆われ、これにより外観を向上すると共に外壁１と基礎２との間から屋内側に水が侵入することを防止している。
【００１３】
基礎見切り１６はその上端部と外壁１の下端部との間に隙間Ｓ１が形成されるよう外壁１に接触しないように見切り下地材１５により支持されるものである。見切り下地材１５は合成樹脂製で基礎見切り１６よりも短尺なブロック状の部材であり、下部には下面１８ａが水平に形成された載置部１８を形成している。載置部１８の屋外側の端部には下側に向けて下被係止部１９を突設してあり、下被係止部１９の屋内側の面と載置部１８の下面１８ａは屋内側斜め下方を向く傾斜面２０を介して接続されている。また載置部１８の屋内側の端部には立上部２１を立ち上げている。立上部２１の上端面の屋内側半部には下方に凹む段状凹部２２を形成してあり、これにより立上部２１の上端部の屋外側に上方に突出する上被係止部２３を形成している。また見切り下地材１５の前記上被係止部２３から下被係止部１９までの屋外側の面は基礎見切り１６の内面に合致する形状に形成されている。
【００１４】
基礎見切り１６は長手方向の全長に亘って断面形状が同じで、例えばアルミニウム等の金属や合成樹脂等によって形成されるものであり、屋外側に下り傾斜した傾斜片２４と、傾斜片２４の屋内側の端部から立ち上げた立上片２５を有している。傾斜片２４の屋外側の端部には下係止部２６を設けてあり、該下係止部２６は傾斜片２４の屋外側の端部から下方に向けて突設したＬ字状片２７と、該Ｌ字状片２７の横片部２７ａの屋内側の端部から上方に突設した突片２８とで構成されている。また立上片２５の上端部には横向きＴ字状の上係止部２９を屋内側に向けて突設している。また立上片２５の下端部は屋内側に向けて突曲形成してあり、これにより立上片２５の屋外側の面の下端部に屋内側に凹む水切り用の溝３０を形成している。
【００１５】
そして上記基礎見切り１６は上棟業者による外壁１を含めた架構体の施工が終了した後に別の業者によって施工される。この施工は例えばまず見切り下地材１５の施工予定位置を隅出し等により決定し、これを基準に見切り下地材１５を基礎２の上端部における基礎２の伸びる方向（平面視で屋内外方向イと直交する方向）に間隔を介した複数箇所に位置決めして固着する。ここで各見切り下地材１５を基礎２の上端部に固着するには、載置部１８をコーキング材３１ａを介して基礎２に載置してコーキング材３１ａにより載置部１８の下面１８ａを基礎２の上面に接着している。
【００１６】
この状態では見切り下地材１５の載置部１８の屋外側の端部が基礎２よりも屋外側に位置し、更には見切り下地材１５の載置部１８の下面１８ａの屋外側の端部が基礎２よりも屋外側に位置している。また上被係止部２３を含む立上部２１の上端部が段部９内に位置すると共に該立上部２１の上端部と段部９の縦面９ｂとの間に隙間Ｓ４が形成されている。
【００１７】
ここで本例の見切り下地材１５は基礎２の上面において屋内外方向イの位置のみを所定範囲内で変更して任意の位置で基礎２に固着できるようになっている。具体的には外装材５の厚みのみを変えて嵌込溝８から外装材５の屋外側の面までの距離が変わった外壁１に対応できるように、最も厚みの薄い外装材５を設けた外壁１を立設予定位置に立設した際には、外装材５の屋外側の面と基礎見切り１６の立上片２５の屋外側の面を略面一とした場合に、屋内外方向イにおける基礎２から載置部１８の下面１８ａの屋外側の端までの距離Ｌが、外壁１の予想される屋内方向への最も大きな誤差よりも大きな寸法となるように設定してあり、また最も厚みの薄い外装材５を設けた外壁１を立設した際において、外装材５の屋外側の面と基礎見切り１６の立上片２５の屋外側の面を略面一とした場合に、隙間Ｓ４が形成されるように設定してある。
【００１８】
次に上記見切り下地材１５で複数の基礎見切り１６を支持させ、これにより基礎２の伸びる方向に沿って複数の基礎見切り１６を並設する。見切り下地材１５で基礎見切り１６を支持するには、見切り下地材１５の下端部に設けた下被係止部１９の屋内側の面に基礎見切り１６の下端部に設けた下係止部２６の突片２８を引掛けて係止すると共に、見切り下地材１５の上端部に設けた上被係止部２３の屋内側の面に基礎見切り１６の上端部に設けた横Ｔ字状の上係止部２９の縦片部２９ａ（詳しくは縦片部２９ａの横片部２９ｂよりも下方に突出した部分）を引掛けて係止する。これにより基礎見切り１６の内面が見切り下地材１５の屋外側部分の外面に合致した状態で、基礎見切り１６の内側に見切り下地材１５の屋外側部分が被嵌されることとなる。そしてこの状態で基礎見切り１６の上係止部２９が段部９の縦面９ｂに沿って段部９内に配置され、上係止部２９と段部９の縦面９ｂとの間及び上係止部２９と段部９の横面９ａとの間に上記隙間Ｓ１が形成される。また基礎見切り１６の立上片２５の屋外側の面が外壁１の屋外側の面（外装材５の屋外側の面）と屋内外方向イにおける略同じ位置に配される。
【００１９】
ここで図示は省略するが本例の各見切り下地材１５は隣接する基礎見切り１６の突き合せ端部間に跨って配置されるものであり、各見切り下地材１５は基礎２の伸びる方向における片側を隣接する基礎見切り１６のうち一方の基礎見切り１６の突き合わせ端部内に被嵌すると共に他側を他方の基礎見切り１６の突き合わせ端部内に被嵌することで、隣接する基礎見切り１６を接続するものである。なお本例では基礎２に見切り下地材１５を固着した後、該見切り下地材１５に基礎見切り１６を取付けたが、上記と同様に見切り下地材１５に基礎見切り１６を取付けた後、この基礎見切り１６を取付けた見切り下地材１５を基礎２に固着しても良い。
【００２０】
そして上記のように見切り下地材１５に基礎見切り１６を取付けた後、上記隙間Ｓ１のうち基礎見切り１６の上端部に設けた上係止部２９と段部９の横面９ａとの間に形成された隙間Ｓ３（詳しくは基礎見切り１６の上係止部２９の横片部２９ｂと段部９の横面９ａの一部を構成する外装材５の下端面との間に形成された隙間）に防水用のコーキング材３１ｂを充填することで基礎見切り１６の取付けが完了する。
【００２１】
上記基礎見切り１６の取付け構造では基礎見切り１６を見切り下地材１５のみで支持しているため、基礎見切り１６を基礎２を基準として位置決めして取付けることができる。従って外壁１の立設位置に影響されることなく基礎見切り１６を正確な位置に位置決めして取付けることができ、且つ隣接する外壁１が屋内外方向イにずれていたとしてもこのずれを基礎見切り１６の上端部と段部９の縦面９ｂとの間に形成された隙間Ｓ２で吸収でき、これにより基礎２に沿って並設される基礎見切り１６が屋内外方向イにずれて段差が生じたり、基礎見切り１６が波打ったりすることがなく、基礎見切り１６を平面視で綺麗な一直線状に施工できる。またこの場合、コーキング材３１ｂにより基礎見切り１６の上端部と外壁１の下端部との間に形成された隙間Ｓ１から屋内側に水が侵入することも防止されている。
【００２２】
また本例では、外壁１の屋外側の面の下端部に段部９を形成し、段部９に基礎見切り１６の上端部を配置して基礎見切り１６の上端部と段部９の縦面９ｂとの間及び基礎見切り１６の上端部と段部９の横面９ａとの間に上記隙間Ｓ１を形成し、該隙間Ｓ１のうち基礎見切り１６の上端部と段部９の横面９ａとの間に形成された隙間Ｓ３にコーキング材３１ｂを充填するという構成であるため、従来から利用されている屋外側の面の下端部に段部９を形成した外壁１を用いることができ、部材コストを削減できる。
【００２３】
また本例の見切り下地材１５は隣接する基礎見切り１６の端部同士を接続する役割も果たしており、これにより隣接する基礎見切り１６の相対位置をずれ難くできる。なお見切り下地材１５は上記のように隣接する基礎見切り１６の突き合わせ端部間に跨って固着することに加えて、基礎見切り１６の長手方向の両側に配される見切り下地材１５の中間に位置するように基礎見切り１６の長手方向の中間部にも固着して良い。
【図面の簡単な説明】
【００２４】
【図１】本発明の実施の形態の一例の基礎見切りの取付け構造を示す断面図である。
【図２】従来の基礎見切りの取付け構造を示す断面図である。
【符号の説明】
【００２５】
Ｓ１  隙間
Ｓ２  隙間
Ｓ３  隙間
１  外壁
２  基礎
９  段部
９ａ  横面
９ｂ  縦面
１２  土台金物
１５  見切り下地材
１６  基礎見切り
３１ｂ  コーキング材
【図１】
2007032115.tif 000003
【図２】
2007032115.tif 000004